【事件の表示】
　特願２００６−１６１３６３「透光性接着剤」拒絶査定不服審判事件〔平成１８年　９月　７日出願公開、特開２００６−２３７６５２〕について、次のとおり審決する。
【結　論】
　本件審判の請求は、成り立たない。
【理　由】
１．手続の経緯 
　本願は、平成８年１１月２２日に出願された特願平８−３１１６０４号の一部を平成１６年９月２７日に新たな特許出願とし、さらにその出願の一部を平成１８年６月９日に新たな特許出願としたものであって、同年７月１０日付けの手続補正書により手続補正（以下「本件第１補正」という。）がなされ、同年８月７日付けで拒絶理由が通知されたところ、同年１０月１２日付けの手続補正書により手続補正（以下「本件第２補正」という。）がなされ、その後、同年１１月１日付けで拒絶査定がなされ、これに対し、同年１２月７日に拒絶査定不服審判請求がなされたものである。　
　
２．原査定の理由
　原査定の拒絶の理由は、願書に最初に添付した明細書、特許請求の範囲又は図面（以下、それぞれ「当初明細書」、「当初請求の範囲」、「当初図面」といい、これらを総称して「当初明細書等」という。）に記載された発明（以下「本願当初発明」という。）は、透光性接着剤がＬＥＤチップの基板と透光性支持体との接着に用いられることを前提（以下「原査定の前提」という。）としたものであるにもかかわらず、本件第１補正及び本件第２補正後の特許請求の範囲に記載された、
「【請求項１】
　同一面側に正極及び負極の電極が形成されてなるＬＥＤチップの、前記正極及び負極の電極が形成された面と反対側の面を固定するための透光性接着剤であって、
　前記透光性接着剤は、前記ＬＥＤチップから放出された光を波長変換することが可能な蛍光物質を有していることを特徴とする透光性接着剤。」なる発明（以下「本願補正発明」という。）では、ＬＥＤチップの正極及び負極の電極が形成された面と反対側の面を固定する固定対象が何ら特定されていないのであるから、結局、本件第２補正は当初明細書等に記載した事項の範囲内においてしたものではない、というものである（特に、平成１８年１１月１日付け拒絶査定２頁２行〜７行を参照。）。
　
３．本件第２補正の適否について
（１）まず、原査定の前提の当否について以下に検討する。当初明細書等には以下の記載がある。なお、下線は当審において付したものである。
　
ア．「【請求項１】
　透光性接着剤を介して透光性支持体上にＬＥＤチップを配し、該ＬＥＤチップの前記透光性接着剤と接した面と対向する面側に有する電極と、前記透光性支持体に設けられた外部電極と、を導電性ワイヤーによって電気的に接続されていることを特徴とする発光装置。
【請求項２】
　前記ＬＥＤチップは透光性絶縁基板に形成された半導体上にそれぞれ正極及び負極の電極を有する請求項１記載の発光装置。
【請求項３】
　前記導電性ワイヤーを保護するための保護部材と、該保護部材上の反射部材と、を有する請求項１記載の発光装置。
【請求項４】
　前記透光性接着剤に蛍光物質が含有されている請求項１記載の発光装置。
【請求項５】
　前記透光性支持体上に少なくとも一箇所の開口部を有する遮光部材を設けた請求項１記載の発光装置。
【請求項６】
　前記透光性支持体が前記ＬＥＤチップからの光の少なくとも一部を集光するレンズ部を有する請求項１記載の発光装置。
【請求項７】
　透光性支持体の凹部に透光性接着剤を介してＬＥＤチップを固定する工程と、該ＬＥＤチップの電極と、前記透光性支持体に設けられた外部電極と、を導電性ワイヤーによりワイヤーボンディングさせる工程と、前記透光性支持体の凹部内に配された導電性ワイヤー、ＬＥＤチップ上に反射部材を形成する工程と、を有することを特徴とする発光装置の形成方法。」
　
イ．「【発明の詳細な説明】
【技術分野】
【０００１】
  本願発明は、ＬＥＤ表示器、光通信機器、光プリンターヘッドや光センサーなどの各種制御機器に用いられる光源などに利用される発光装置に関し、特に、量産性が良く且つ使用環境下によらず信頼性が高い発光装置に関する。」
　
ウ．「【０００３】
  発光装置の具体的一例を図５に示す。ＬＥＤチップ５０２の一方の電極をリードフレーム上に、Ａｇペースト５０４などを用いて接続すると共にＬＥＤチップの他方の電極を導電性ワイヤー５０３であるＡｕ線などで別途電気的に接続させてある。発光装置はＬＥＤチップからの光を集光させ効率的に取り出すためにＬＥＤチップ上にエポキシ樹脂などによりレンズ形状５０１にモールドされている。導電性ワイヤーを用いて電気的接続を行うと共にモールド部材で被覆する発光装置は、比較的簡単に歩留まり良く小型に形成させることができる。
・・・
【発明が解決しようとする課題】
【０００４】
  しかしながら、
発光面側に導電性ワイヤーなどがあるとＬＥＤチップが発光した光が導電性ワイヤー、導電性ワイヤーのボンディング部や電極の陰になる。ＬＥＤチップに設けられた発光面側の電極下部などで発光した光などが有効に外部にでてこないという問題がある。
発光素子の一方の面側に正極及び負極の電極など複数の電極を形成した場合は、上述の導電性ワイヤーが増えるために遮光などの問題がさらに顕著な傾向となる。
  また、ＬＥＤチップからの光を集光させる場合ＬＥＤチップに樹脂などをモールド成形し一体にレンズ部などを形成させる。レンズ部により集光力をより高めようとするとＬＥＤチップ表面からレンズ部の頂点であるモールド部の厚みが厚くなる場合がある。導電性ワイヤーで電気的に接続させたＬＥＤチップをモールド部材で一体成形させるとモールド部材の厚みが厚くなるにつれ温度差の極めて激しい使用環境下においては発光装置の特性が劣化する傾向にある。特に、導電性ワイヤーの接続部が多い発光装置においては顕著になる。
【０００６】
  さらに気泡などの混入を防ぎ発光特性を安定化させ、集光力を高めるためにはトランスファー成形などにより形成させたレンズを用いることが好ましい。しかしながら樹脂成形時に比較的高圧で所望の形状に成形させる。冷却硬化時に生じる樹脂収縮などの形成諸条件から導電性ワイヤーで電気的接続を取ったＬＥＤチップを一体成形させることが難しい。レンズ部と発光素子とを密着して小型に形成させることができないという問題を有する。
【０００７】
  したがって、より優れた発光特性が求められる今日においては上記構成の発光装置では十分ではなく、更なる特性向上が求められている。本願発明はかかる問題に鑑み、導電性ワイヤーによって外部電極と電気的に接続されたＬＥＤチップを持つ発光装置において、使用環境によらず発光特性が安定、光利用効率、歩留まりが高く小型に形成しうる発光装置とすることである。」
　
エ．「【課題を解決するための手段】
【０００８】
  本願発明は、透光性接着剤を介して透光性支持体上にＬＥＤチップを配し、該ＬＥＤチップの前記透光性接着剤と接した面と対向する面側に有する電極と、前記透光性支持体に設けられた外部電極と、を導電性ワイヤーによって電気的に接続された発光装置である。また、ＬＥＤチップは透光性絶縁基板に形成された半導体上にそれぞれ正極及び負極の電極を有する発光装置であり、導電性ワイヤーを保護するための保護部材と、該保護部材上の反射部材と、を有する発光装置でもある。また、透光性接着剤に蛍光物質が含有されている発光装置である。透光性支持体上に少なくとも一箇所の開口部を有する遮光部材を設けた発光装置でもある。さらに、透光性支持体がＬＥＤチップからの光の少なくとも一部を集光するレンズ部を有する発光装置でもある。」
　
オ．「【０００９】
  さらにまた、
透光性支持体の凹部に透光性接着剤を介してＬＥＤチップを固定する工程
【発明の効果】
【００１０】
  このように、
光取り出し部側と電気的接続部側とをＬＥＤチップに対してそれぞれ機能分離して形成させることにより電気的接続部を導電性ワイヤーによって比較的容易に信頼性を高く形成させることができる。
また、特に透光性接着剤を介して固定させることにより効率よく光を導くと共に光軸を合わせることができる。
　
カ．「【発明を実施するための最良の形態】
・・・
【００１４】
  本願発明は、ＬＥＤチップからの光を取り出す透光性支持体と導電性ワイヤーで接続された部位とを別体に形成させる。具体的には、図１ＢにチップタイプＬＥＤの一例を示す。図１Ｂでは、集光能力の高いレンズを形成させるためにトランスファー成形によりレンズ部が一体成形された透光性支持体１０１を用いてある。透光性支持体１０１中には、外部電極１０５となる銀メッキされた銅板が埋め込まれている。また、レンズ部と反対側の透光性支持体上には、ＬＥＤチップが配される凹部が形成されている。凹部内にはさらに底辺が外部に向かって凸形状の凹部が設けられている。透光性支持体１０１のレンズ部と光軸が合うように透光性接着剤１０４としてエポキシ樹脂を用いてＬＥＤチップを凹部内にダイボンディングさせてある。
・・・
【００１５】
  このような発光装置の構成とすることによって光の取り出し部位と、導電性ワイヤー形成部位と、を分離させ高温度サイクルにおいても発光特性の安定した発光装置とすることができる。特に、本願発明においては集光能力を向上させた光取り出し部位とさせることができる。透光性接着剤を介して透光性支持体とＬＥＤチップとを接続させることによりＬＥＤチップからの光を効率よく導くと共に発光装置の光軸を容易に合わせることもできる。以下本願発明の各構成について詳述する。
【００１６】
（透光性支持体１０１、２０１、３０１、４０１）
  
本願発明に用いられる透光性支持体１０１としては、半導体発光素子であるＬＥＤチップ１０２を積置できると共にＬＥＤチップ１０２からの発光波長の少なくとも一部或いはＬＥＤチップ１０２からの光を利用した発光波長に対して実質的に透光性を有するものである。
  このような透光性支持体１０１は、用途や所望に応じて種々の形状、材料を用いることができる。具体的には、透光性支持体１０１に凸レンズや凹レンズを種々形成させることができる。
・・・
【００１８】
  本願発明の透光性支持体１０１は、特にＬＥＤチップの電気的接続部である導電性ワイヤーとは別に自由に設計することができるため成形圧力がかかる圧縮成形やトランスファー成形などを用いて形成することができる。即ち、透光性支持体１０１自体に優れた光学特性を持つレンズ部などを形成させることができる。
・・・
【００２４】
  なお、本願発明において透光性とは、ＬＥＤチップからの発光波長の少なくとも一部或いはＬＥＤチップからの光を利用した発光波長が実質的に透過できることをいう。また、ＬＥＤチップからの発光波長の少なくとも一部に対して透光性を有するとは、ＬＥＤチップから照射された光が実質的に全て透光性支持体を透過する場合はもちろん、透光性支持体に着色部材を含有させるなどＬＥＤチップから放出された光に対してフィルター効果を持たせた場合を含むことを意味する。
ＬＥＤチップからの光を利用した発光波長に対して透光性を有するとは、透光性支持体や透光性接着剤などに蛍光物質を含有させＬＥＤチップから放出され蛍光物質で波長変換させた光が透光性支持体を透過する場合を含むことをも意味する。
（透光性接着剤１０４、２０４、３０４、４０４）
  本願発明に用いられる透光性接着剤１０４とは、透光性支持体１０１と発光素子であるＬＥＤチップ１０２とを固定すると共にＬＥＤチップ１０２からの発光波長の少なくとも一部或いはＬＥＤチップ１０２からの光を利用した発光波長に対して実質的に透光性を有するものである。
したがって、透光性支持体１０１或いは外部電極２０５と密着性が良く所望の光の透過率が高いことが求められる。
  
また、半導体を介して電極が対向して配置されたＬＥＤチップにおいては、電極を介して光を放出させる必要がある。
・・・
透光性接着剤１０４中には蛍光物質及び／又は着色物質を含有させることもできる。蛍光物質を含有させることにより蛍光物質からの光又は蛍光物質とＬＥＤチップからの光を所望に応じて発光させることができる。
・・・
【００３２】
  また、透光性支持体１０１の凹部形状を凸レンズや凹レンズ形状とさせると共に透光性支持体１０１とは屈折率の異なる透光性接着剤１０４を注入させることにより所望の光学特性を持たせることもできる。このような透光性接着剤１０４として具体的にはエポシキ樹脂、シリコン樹脂や水ガラスなど種々のものが挙げられる。」
・・・
【００３７】
（反射部材１０７、４０７）
  反射部材１０７とは、ＬＥＤチップ１０２から放出された光などを効率よく透光性支持体側に向かわせるために設けることが好ましい。・・・」
　
キ．「【００３９】
（バックライト）
  本願発明を用いて図２の如く液晶装置などに利用できるバックライト光源を構成することができる。図２には、本願発明の透光性支持体２０１をバックライト光源の導光板などと兼用することができるものを記載してある。ポリカーボネートで作成した導光板の主面及びＬＥＤチップ２０２が積置された端面を除いて反射層２１０を形成させた。このような反射層２１０は、酸化チタンが含有されたエポキシ樹脂板などを張り合わせてある。反射層２１０を設けることによって、ＬＥＤチップ２０２から放出された光を効率よく導光板の主面から放出させることができる。
【００４０】
  ここで、発光素子としてＳｉＣ基板上に窒化ガリウム系化合物半導体を形成させたＬＥＤチップ２０２を用いた。ＬＥＤチップ２０２はＳｉＣ基板面側及び半導体発光層を介してＳｉＣ基板に対向する半導体面側にはそれぞれスパッタリング法によりアルミニウムの正極及び負極の電極を形成させてある。ＳｉＣ基板面側に設けられた電極は発光層で発光した光が透過できるよう薄く形成させてある。
【００４１】
  導光板のＬＥＤチップ２０２が積置される端面には外部電極２０５として透光性を有するＩＴＯとその上に形成されたＡｌ膜をそれぞれ所望の形状にスッパタリング法により形成させてある。ＬＥＤチップ２０２の電極が形成されたＳｉＣ基板面側と、少なくともＬＥＤチップ下が透光性を有する外部電極２０５と、をＳｎＯ2が含有された透光性接着剤２０４で固着すると共に電気的に導通をとる。これによりＬＥＤチップ２０２が積置された部位以外の外部電極２０５は、ＩＴＯ上にＡｌを積層してあり反射層として働くと共に導電性を向上させることができる。ＬＥＤチップ２０２の半導体面側に設けられた他方の電極は、導電性ワイヤー２０３を用いて導光板に設けられた別の外部電極とワイヤーボンディングしてある。こうして形成されたバックライト上に不示図の液晶装置を配置することによって液晶表示装置を形成させることができる。」
　
ク．「【００４２】
（書き込み／読み込み光源）
  本願発明を用いて図３及び図４の如く光プリンターヘッドやイメージスキャナーの光源などを構成することができる。本願発明の発光装置を図３の如き光プリンターヘッドなどの書き込み光源用に利用したものを示す。
・・・
こうして直列接続されたＬＥＤチップに電力を供給させるとＬＥＤチップ３０２から透光性接着剤３０４、アパーチャーが設けられた透光性支持体３０１を介して点発光される。
　
ケ．「【００４５】
  また、本願発明の発光装置を図４の如きフルカラー光プリンターヘッドとして利用する場合、ＲＧＢ各発光波長を同一の窒化ガリウム系化合物半導体などを利用したＬＥＤチップ４０２によってそれぞれ形成させることができる。即ち、窒化ガリウム系化合物半導体の組成を代えることによって、青色系及び緑色系がそれぞれ発光可能なＬＥＤチップを形成する。レンズが形成されＲＧＢごとに光学的に分離された透光性支持体４０１の凹部にエポキシ樹脂などの透光性接着剤４０４によってＬＥＤチップ４０２を固定させてある。赤色系発光部に相当する透光性支持体の凹部には、ＬＥＤチップからの光によって励起され赤色系が発光可能な蛍光物質をエポキシ樹脂中に含有させた透光性接着剤４１１を用いてＬＥＤチップのサファイヤ基板側で接着させてある。透光性支持体４０１の裏面側には、各ＬＥＤチップを駆動させるための外部電極４０５が形成されている。各外部電極４０５とＬＥＤチップの電極とは、導電性ワイヤー４０３である金線などでワイヤーボンドさせてある。同様に、青色系及び緑色系は透光性接着剤に蛍光物質を含有させない以外は同様に構成してある。ＬＥＤチップ上の背面側には使用状況に応じて保護部材４０６としての封止樹脂やリフレクターである反射部材４０７を設けてもよい。」
　
コ．「【実施例】
【００５０】
（実施例１）
・・・
【００５３】
  一方、ポリカーボネートを用いトランスファー成形により図１Ａの如くレンズ部を有する透光性支持体を形成させた。形成した透光性支持体には外部電極がインサートされている。この透光性支持体の凹部内にＬＥＤチップのサファイア基板面がレンズ部に向くように光軸を合わせエポキシ樹脂でダイボンディングさせ１５０℃２時間で硬化させた。」
　
サ．「【００５６】
  上述の如く本願発明の構成とすることによって、光取り出し部と導電性ワイヤーを用いた電気的接続部とを別体に形成することができるため発光素子を比較的容易に信頼性を高く形成させることができる。
特に、光取り出し部である透光性支持体の形成などに伴う圧力や内部応力による電気的接続部材の断線などを防いだ発光装置とすることができる。
・・・
【００５９】
  本願発明の構成とすることによって、ＬＥＤチップから放出された光を波長変換させることができる。凹部内に蛍光物質を含有させると共に接着させるため所望の蛍光物質含有量とさせることができ発光波長のバラツキの少ない発光装置とすることができる。特に発光面側に均一に一定量の蛍光物質を含有させることができるため発光面における色むらが少ない発光装置とすることができる。
【００６０】
  本願発明の構成とすることによって、より小さな点光源とさせることができる。これにより隣接した発光装置の影響を極めて小さくさせた光プリンターヘッドなどに好適に用いることができる。したがって、発光装置を小型化することができると共に導電性ワイヤーによって発光部が導電性ワイヤーによって陰になることがなく光取り出し効率の高い発光装置とすることができる。
【００６１】
  本願発明の構成とすることによって、より集光力の高い発光装置とすることができる。特に、
光取り出し側に相当する透光性支持体
　
（２）上記記載事項ア〜オ及びサ（特に、下線部）によれば、本願当初発明は、ＬＥＤ表示器等の各種制御機器に用いられる光源などに利用される、透光性接着剤を介して透光性支持体上にＬＥＤチップを配した発光装置に関するものであり、従来、発光装置のＬＥＤチップの発光面側に導電性ワイヤーなどがあるとＬＥＤチップが発光した光が導電性ワイヤー、導電性ワイヤーのボンディング部や電極の陰になり、発光した光が有効に外部にでてこないという問題があり、この問題は、ＬＥＤチップが一方の面側に正極及び負極の電極など複数の電極を形成したものである場合には、導電性ワイヤー及びその接続部が増えるため、さらに顕著になる傾向があったところ、本願当初発明は、従来の発光装置において、透光性接着剤を介して透光性支持体上にＬＥＤチップを配し、該ＬＥＤチップの前記透光性接着剤と接した面と対向する面側に有する電極と、前記透光性支持体に設けられた外部電極とを導電性ワイヤーによって電気的に接続する構造（以下「構造Ａ」という。）を採用することによって、ＬＥＤチップからの光を取り出す部位である透光性支持体と導電性ワイヤーで接続された部位とを別体で形成し、上記問題を解決したものである。
　また、上記構造Ａの採用により、透光性接着剤を介してＬＥＤチップを透光性支持体に固定させることにより効率よく光を導くことができるという作用効果も得られるものである。
　さらに、図１Ａ〜図４の全ての実施の態様に関する記載（上記カ〜ケ参照）、及び実施例１（上記コ参照）の記載いずれをみても、構造Ａ、すなわち、透光性接着剤はＬＥＤチップの基板と透光性支持体との接着に用いられており、ＬＥＤチップからの光は透光性接着剤及び透光性支持体を介して外部に取り出されるという構造が、いずれの態様、実施例においても前提として首尾一貫して採用されていることが理解できる。
　以上によれば、本願当初発明は、構造Ａを前提として有するものといえ、このことは、当初請求の範囲の請求項４及び上記カに記載されたような、透光性接着剤がＬＥＤチップから放出された光を波長変換することが可能な蛍光物質を有し、波長変換された光が透光性支持体を透過するような態様についても同様であるものと認められる。
　よって、透光性接着剤がＬＥＤチップの基板と透光性支持体との接着に用いられるものであるとする原査定の前提は、当初明細書等の記載全体からみて妥当なものである。
　
（３）次に、本件第２補正の適否、すなわち、本願補正発明が、当初明細書等に記載した事項の範囲内のものであるか否かについて検討する。
　本願補正発明は、本件第２補正後の請求項１に記載された事項によって特定される、「同一面側に正極及び負極の電極が形成されてなるＬＥＤチップの、前記正極及び負極の電極が形成された面と反対側の面を固定するための」という用途が特定された「透光性接着剤」に係る発明であるところ、透光性接着剤によるＬＥＤチップの固定対象が何ら特定されていないのであるから、ＬＥＤチップの固定に用いられる本願補正発明の「透光性接着剤」は、技術思想上、本願当初発明が前提とする「透光性支持体」のみならず、「透光性支持体」以外の支持体、例えば、光吸収性或いは光反射性等の不透光性支持体への固定にも用いられるものをも意味することは明らかである。
　なお、この点は請求人が認めるところである（平成１８年１０月１２日付け意見書２頁２２行〜２６行参照）。
　一方、本願当初発明の「透光性接着剤」が、ＬＥＤチップを透光性支持体に固定することを前提としたものであることは上記（２）のとおりであるから、「透光性接着剤」が「透光性支持体」以外の支持体へのＬＥＤチップの固定にも用いられることをも意味する本願補正発明は、当初明細書等に記載した事項の範囲内のものとはいえず、本件第２補正は、当初明細書等に記載した事項の範囲内においてしたものではない。
　よって、本願は、平成１４年改正前特許法第１７条の２第３項（以下、単に「特許法」という。）の要件を満たしていない。
　
４．請求人の主張について
（１）請求人は、平成１８年１０月１２日付けの意見書２頁において、概略次の点を主張している。
【主張１】
　当初明細書の【００３１】（特に、第６文及び第７文）には、「透光性接着剤１０４中には蛍光物質及び／又は着色物質を含有させることもできる。蛍光物質を含有させることにより蛍光物質からの光又は蛍光物質とＬＥＤチップからの光を所望に応じて発光させることができる。」と記載され、透光性支持体の有無に拘わらず、一定の作用効果が得られることが示されている。したがって、この記載から、透光性支持体を構成要件とすることなく、ＬＥＤチップから放出された光を波長変換することが可能な蛍光物質を有する透光性接着剤が１つの発明として把握されるという点。
　
【主張２】
　当初明細書の【００４６】の記載によれば、「光変換作用が専ら蛍光体を含む透光性接着剤によって実現されることが示され、透光性支持体はＬＥＤチップを支持する機能以外には単に光を透過させる機能を持つもの」であり、これらの機能は、分離して構成することができることは明らかである。したがって、例えば、透光性を持っていない支持体に、光を通過させる開口部を設けて構成することも可能であり、そのような開口部を持った支持体を図４の透光性支持体４０１の代わりに使用できることは当業者には自明であるという点。
　
（２）上記主張１乃至２について検討する。
【主張１に対して】
　たとえ、蛍光物質が透光性支持体の存在とは無関係に波長変換機能を有するものであるとしても、本件第２補正が特許法第１７条の２第３項の要件を満たすか否かは、本願補正発明が当初明細書等に記載した事項の範囲内のものか否かによって定まるものであるから、上記蛍光物質の機能は、「透光性接着剤」が「透光性支持体」以外の支持体への固定にも用いられる本願補正発明が当初明細書等に記載した事項の範囲内のものではないとの上記３．の結論を左右するものではない。
　よって、主張１は理由がない。
　
【主張２に対して】
　補正された事項が、当初明細書等に記載した事項の範囲内のものといえるためには、（ア）当初明細書等に明示的に記載された事項であるか、又は（イ）当初記載から自明な事項、すなわち、その記載に接した当業者であれば、本願出願時の技術常識に照らして、その意味であることが明らかであって、補正された事項がそこに記載されているのと同然であると理解する事項、であることが必要である。
　これを主張２についてみると、上記（ア）の要件を充足しないことは明らかである。
　次に、（イ）の要件についてみるに、本願補正発明のＬＥＤチップの支持体として、透光性を持っていない支持体に光を通過させる開口部を設けて構成することが
可能である
　よって、主張２も理由がない。
　
５．むすび
　以上のとおり、本件第２補正は当初明細書に記載した事項の範囲内においてしたものではないから、本願は、特許法第１７条の２第３項に規定された要件を満たしていない。
　よって、結論のとおり審決する。